(57)【要約】      （修正有）【課題】手動式空気ポンプの手押し動作時においても、逆止弁機構が常に正常な動作を維持できる手動式空気ポンプ付き軟質樹脂製品を提供する。【解決手段】手動式空気ポンプ付き軟質樹脂製品は、軟質樹脂製品の中空本体と、空気ポンプと、当該空気ポンプの空気吐出口２５に連結された逆止弁機構３０とを備える。逆止弁機構３０は、空気吐出口２５に連結される基端部３０ａと、先端部３０ｂと、前記両部の間に位置する連絡部３０ｃとを有する。先端部３０ｂには開閉弁３２が設けられている。連絡部３０ｃには、手動式空気ポンプの空気吐出口２５から吐出された空気を開閉弁３２に導く連通路を常時確保するための連通路確保材としての硬質な導管３４が設けられている。【選択図】図５
0003231899.tif 000002
【実用新案登録請求の範囲】
【請求項１】
内部に空気を充填することで使用可能となる軟質樹脂製品（１０）の中空本体（１１）と、
前記中空本体（１１）に一体的に取り付けられた手動式空気ポンプ（２０）と、
前記軟質樹脂製品の中空本体（１１）の内部に配置されると共に、前記手動式空気ポンプ（２０）の空気吐出口（２５）に連結された逆止弁機構（３０）と、
を備えてなる手動式空気ポンプ付き軟質樹脂製品において、
前記逆止弁機構（３０）は、互いに密着可能な２枚の樹脂シート（３１ａ，３１ｂ）で構成されると共に、当該逆止弁機構（３０）は、前記手動式空気ポンプの空気吐出口（２５）に連結される基端部（３０ａ）と、前記基端部とは反対側の端部である先端部（３０ｂ）と、前記基端部と前記先端部との間に位置する連絡部（３０ｃ）とを有し、
前記先端部（３０ｂ）には、前記２枚の樹脂シート（３１ａ，３１ｂ）の離間又は密着に応じて開閉される開閉弁（３２）が設けられており、
少なくとも前記連絡部（３０ｃ）には、前記２枚の樹脂シート（３１ａ，３１ｂ）の間に挿入配置された連通路確保材（３４，３４１〜３４３）が設けられ、この連通路確保材の内部および／または隣接する外側には、前記手動式空気ポンプの空気吐出口（２５）から吐出された空気を前記開閉弁（３２）に導くための連通路（４１，４２）が確保されていることを特徴とする、手動式空気ポンプ付き軟質樹脂製品。
【請求項２】
前記逆止弁機構（３０）の幅方向の両側又は片側サイドには、前記２枚の樹脂シート（３１ａ，３１ｂ）の離間又は密着に応じて開閉される第２の開閉弁（３９）が設けられており、この第２の開閉弁（３９）は、前記連通路確保材によって確保された連通路（４２）と連通可能であることを特徴とする、請求項１に記載の手動式空気ポンプ付き軟質樹脂製品。
【考案の詳細な説明】
【技術分野】
【０００１】
本考案は、手動式空気ポンプ付き軟質樹脂製品に関し、特に、手動式空気ポンプの空気吐出口の側に逆止弁機構を備えた手動式空気ポンプ付き軟質樹脂製品に関する。
【背景技術】
【０００２】
ビニール製の浮き輪や幼児用プール等は、内部に空気を充填することで使用可能となる軟質樹脂製品であり、この種の軟質樹脂製品にあっては、例えば図１に示すように、軟質樹脂製品１０を構成する中空本体１１の上に、同じく軟質樹脂製の手動式空気ポンプ２０を一体的に取り付けたものがある。使用者によって手動式空気ポンプ２０が手押し動作されるに伴い、空気吸入口２４から該ポンプ内に取り入れられた空気（外気）が、空気吐出口２５を介して軟質樹脂製品の中空本体１１内に強制充填される。そして、かかる空気の強制充填を可能とするために、少なくとも手動式空気ポンプ２０の空気吐出口２５には、逆止弁機構３０が設けられている。
【０００３】
図２（及び図１）は、透明な軟質樹脂製の手動式空気ポンプ２０の空気吐出口２５側に設けられた逆止弁機構３０の従来例を示す。各図が示唆するように、逆止弁機構３０は、主として２枚の透明な軟質樹脂シート（３１ａ，３１ｂ）をラミネートすると共に部分的に接着（又は溶着）することで構成されている。逆止弁機構の基端部３０ａ（図２では上端部）は、手動式空気ポンプ２０の空気吐出口２５に連結される（図２（Ａ）参照）。逆止弁機構の先端部３０ｂ（図２では下端部）は、当該先端部に用いられている２枚の軟質樹脂シート（３１ａ，３１ｂ）が互いに離間及び密着可能となっていることで、両軟質樹脂シート（３１ａ，３１ｂ）の離間又は密着に応じて開閉される開閉弁３２を構成している（図２（Ｃ）参照）。逆止弁機構３０の基端部３０ａと先端部３０ｂとの間は、両部をつなぐ連絡部３０ｃとなっており、この連絡部３０ｃの幅方向中央には、２枚の軟質樹脂シート（３１ａ，３１ｂ）の一部を意図的に離間させ非接着とすることで形成される縦長な連通路５１が確保されている（図２（Ｂ）参照）。この連通路５１は、手動式空気ポンプの空気吐出口２５からの空気を先端部３０ｂ（開閉弁３２）に導くものである。
なお、図２（Ｂ）及び（Ｃ）では、軟質樹脂シート（３１ａ，３１ｂ）の厚さが実際よりもデフォルメして描かれているが、樹脂シートの実際の厚さは１ｍｍにも満たない。
【０００４】
空気入れ時には、手動式空気ポンプ２０を手で上から押し潰す（図１（Ｂ）参照）、その後、潰れた空気ポンプ２０が弾性的に形状復元する、再び空気ポンプ２０を上から押し潰す、といった手押し動作を繰り返すことにより、軟質樹脂製品１０の中空本体１１内に空気が徐々に充填される。その際、逆止弁機構３０では、空気ポンプ２０が押されたときには、空気吐出口２５から連通路５１を経て先端部（開閉弁３２）に達した加圧空気が、相互密着状態（即ち閉状態）にあった軟質樹脂シート（３１ａ，３１ｂ）を離間させ、当該開閉弁３２を開状態とする。また、潰れた空気ポンプ２０が弾性的に形状復元するときには、空気吐出口２５とつながった連通路５１が負圧状態となり、相互離間状態（即ち開状態）にある軟質樹脂シート（３１ａ，３１ｂ）を密着させ、当該開閉弁３２を閉状態とする。
【先行技術文献】
【特許文献】
【０００５】
【特許文献１】（特になし）
【考案の概要】
【考案が解決しようとする課題】
【０００６】
しかしながら、上記従来の逆止弁機構では、縦長な連通路５１を形作っている２枚の樹脂シート（３１ａ，３１ｂ）が軟質であるために、空気ポンプ２０を上から押し潰すべく押圧力を加えたとき、その押圧力によって連通路５１も一緒に押し潰されてしまい、連通路５１の少なくとも一部が実質的に閉塞されるおそれがある。連通路５１の実質的閉塞は逆止弁機構３０の正常な動作を阻害して、円滑な空気充填に支障をきたす。なお、このような連通路５１の実質的閉塞は、とりわけ空気ポンプ２０で軟質樹脂製品１０に空気の充填を開始した初期段階で起こりやすい。というのも、かかる初期段階では、一般に軟質樹脂製品１０がペチャンコに収縮した状態にあり、空気ポンプ２０を上から押し潰す押圧力によって、軟質樹脂製品１０の内部に配置されている逆止弁機構３０も、軟質樹脂製品が置かれている面（例えば床面や机面）に対して強く押し付けられやすいからである。
【０００７】
本考案の目的は、手動式空気ポンプの手押し動作時においても、逆止弁機構が常に正常な動作を維持できる手動式空気ポンプ付き軟質樹脂製品を提供することにある。
【課題を解決するための手段】
【０００８】
本考案は、
内部に空気を充填することで使用可能となる軟質樹脂製品の中空本体と、
前記中空本体に一体的に取り付けられた手動式空気ポンプと、
前記軟質樹脂製品の中空本体の内部に配置されると共に、前記手動式空気ポンプの空気吐出口に連結された逆止弁機構と、
を備えてなる手動式空気ポンプ付き軟質樹脂製品において、
前記逆止弁機構は、互いに密着可能な２枚の樹脂シートで構成されると共に、当該逆止弁機構は、前記手動式空気ポンプの空気吐出口に連結される基端部と、前記基端部とは反対側の端部である先端部と、前記基端部と前記先端部との間に位置する連絡部とを有し、
前記先端部には、前記２枚の樹脂シートの離間又は密着に応じて開閉される開閉弁が設けられており、
少なくとも前記連絡部には、前記２枚の樹脂シートの間に挿入配置された連通路確保材が設けられ、この連通路確保材の内部および／または隣接する外側には、前記手動式空気ポンプの空気吐出口から吐出された空気を前記開閉弁に導くための連通路が確保されていることを特徴とする、手動式空気ポンプ付き軟質樹脂製品である。
【０００９】
また、本考案において、
前記逆止弁機構の幅方向の両側又は片側サイドには、前記２枚の樹脂シートの離間又は密着に応じて開閉される第２の開閉弁が設けられており、この第２の開閉弁は、前記連通路確保材によって確保された連通路と連通可能であることは、好ましい。
【考案の効果】
【００１０】
本考案によれば、「少なくとも前記連絡部には、前記２枚の樹脂シートの間に挿入配置された連通路確保材が設けられ、この連通路確保材の内部および／または隣接する外側には、前記手動式空気ポンプの空気吐出口から吐出された空気を前記開閉弁に導くための連通路が確保されている」ため、手動式空気ポンプの手押し動作時においても、連絡部に設けられた連通路確保材が押し潰されて連通路確保材の内部および／または隣接する外側に確保された連通路が閉塞することがなく、従って逆止弁機構は正常な動作を維持することができる。
また、逆止弁機構の先端部に設けられた開閉弁（第１の開閉弁）の他に、逆止弁機構の幅方向の両側又は片側サイドに第２の開閉弁を設けることで、逆止弁機構の先端部が折れ曲がる等の事情により第１の開閉弁が正常に開閉動作できない場合でも、残る第２の開閉弁が正常に開閉動作することができるため、逆止弁機構全体として常に正常な動作を維持することができる。
【図面の簡単な説明】
【００１１】
【図１】一般的な手動式空気ポンプ付き軟質樹脂製品を側面から見た状態を示し、（Ａ）は空気充填状態での概略側面図、（Ｂ）は空気充填の初期段階において空気ポンプが押し潰された状態を示す概略側面図。
【図２】従来の逆止弁機構を示し、（Ａ）は正面側から見た概略斜視図、（Ｂ）はＢ１−Ｂ１線での概略断面図、（Ｃ）はＣ１−Ｃ１線での概略断面図。
【図３】本考案に従う手動式空気ポンプ付き軟質樹脂製品を側面から見た、空気充填状態での概略側面図。
【図４】手動式空気ポンプの上部に設けられたフラップ弁型逆止弁の概略断面図。
【図５】本考案の一実施形態に従う逆止弁機構を示し、（Ａ）は正面側から見た概略斜視図、（Ｂ）はＢ２−Ｂ２線での概略断面図、（Ｃ）はＣ２−Ｃ２線での概略断面図。
【図６】（Ａ）〜（Ｄ）は、本考案で採用可能な連通路確保材の各種態様を示す概略断面図、
【図７】本考案に従う逆止弁機構の変更例を示す図５（Ａ）相当の概略斜視図。
【考案を実施するための形態】
【００１２】
以下、図３、図４、図５及び図６（Ａ）を参照して本考案の一実施形態を説明する。
図３に示すように、本実施形態の手動式空気ポンプ付き軟質樹脂製品は、内部に空気を充填することで使用可能となる軟質樹脂製品１０の上に、手動式空気ポンプ２０を一体的に取り付けてなるものである。軟質樹脂製品１０は中空な本体１１を備え、この中空本体１１は、例えばビニール等の無色透明（又は有色不透明）の軟質合成樹脂のシート素材で作られている。
【００１３】
手動式空気ポンプ２０は中空な円柱状の構造物であり、そのほぼ全体が、前記軟質樹脂製品の中空本体１１と同様に、例えばビニール等の無色透明（又は有色不透明）の軟質合成樹脂製のシート素材で作られている。手動式空気ポンプ２０は、円筒状の周壁部２１と、該円筒状周壁部２１の上端を塞ぐ円形の上壁部２２と、該円筒状周壁２１の下端を塞ぐ円形の底壁部２３とを有している。円筒状周壁部２１は、手で上から押し潰されて蛇腹状に縮んだときでも（図１（Ｂ）参照）、その後に弾性的な復元力によってほぼ元の形状に復帰する性質がある。なお、手動式空気ポンプ２０の底壁部２３は、軟質樹脂製品１０の中空本体１１を形成している壁の一部を兼ねている。
【００１４】
図４に示すように、手動式空気ポンプ２０の上壁部２２の略中央には、空気吸入口２４が設けられている。そして、この空気吸入口２４には、フラップ弁型の逆止弁２７が設置されている。フラップ弁型の逆止弁２７は、平面視が略半円形をしたフラップ弁２７ａを備えている。フラップ弁２７ａを間に挟んでの上下（つまりポンプ外内）の圧力差に応じてフラップ弁２７ａが適宜開閉動作することで、この逆止弁２７は、外気を空気ポンプ２０内に導入し得るが、空気ポンプ２０内の空気が外に逃げるのを防止する一方向性の逆止弁（２７）として機能する。
【００１５】
また、空気吸入口２４の外気側には、栓２８が設けられている。空気ポンプ２０の使用時には、空気吸入口２４から栓２８を外して外気を空気ポンプ２０内に導入可能とする。他方、空気ポンプ２０の不使用時（空気充填完了時）には、空気吸入口２４を栓２８で閉じることで空気漏れを完全防止する。なお、空気吸入口２４は、備え付けの公知の栓２８によって適宜開状態又は閉状態とすることができる。
【００１６】
図５（Ａ）に示すように、手動式空気ポンプ２０の底壁部２３の略中央には、空気吐出口２５が設けられている。この空気吐出口２５には、空気ポンプの底壁部２３の下側にぶら下がる形で逆止弁機構３０が設けられている。従って、逆止弁機構３０それ自体は、軟質樹脂製品１０の中空本体１１の内部に配置される。図５（Ａ）の逆止弁機構３０も、従来の逆止弁機構と同様、主として２枚の透明な軟質樹脂シート（３１ａ，３１ｂ）をラミネートすると共に部分的に接着（又は溶着）することで構成されている。
【００１７】
逆止弁機構３０の基端部（上端部）３０ａは、手動式空気ポンプ２０の空気吐出口２５に連結されている。つまり、逆止弁機構の基端部３０ａを形成している樹脂シート（３１ａ，３１ｂ）の略環状の上端部が、空気吐出口２５の孔縁に接続されている。この基端部３０ａの連結構造は、従来の逆止弁機構のそれと基本的に同じである。
【００１８】
図５（Ａ）及び（Ｃ）に示すように、逆止弁機構３０の先端部（下端部）３０ｂは、当該先端部に用いられている２枚の軟質樹脂シート（３１ａ，３１ｂ）が互いに離間及び密着可能となっていることで、両軟質樹脂シートの離間又は密着に応じて開閉される開閉弁３２を構成している。この先端部３０ｂにおける開閉弁３２の構造は、従来の逆止弁機構のそれと基本的に同じである。
【００１９】
更に図５（Ａ）及び（Ｂ）に示すように、逆止弁機構３０の基端部３０ａと先端部３０ｂとの間は、両部をつなぐ連絡部３０ｃとなっている。なお、連絡部３０ｃと先端部３０ｂとの境界に沿って、２枚の軟質樹脂シート（３１ａ，３１ｂ）を部分的に溶着することで溶着部３６が形成されている（図５（Ａ）参照）。連絡部３０ｃの幅方向中央には、相対面する２枚の樹脂シート（３１ａ，３１ｂ）の一部を意図的に離間させ非接着とすることで形成される縦長な空間３３が確保されている。そして、この縦長な空間３３内には、２枚の樹脂シート（３１ａ，３１ｂ）の間に挟まれる形で、連通路確保材としてのストロー形状の導管３４が挿入配置されている。
【００２０】
連通路確保材としての前記導管３４は、硬質な素材で作られている。この硬質な素材は、逆止弁機構３０のほぼ全体を構成している軟質合成樹脂（例えばビニール）よりも硬い素材であればよく、硬質の合成樹脂（例えばポリプロピレン）や金属を例示することができる。なお、本願の連通路確保材（導管３４）に関して「硬質」という場合、それは、基本的に外圧によって導管３４の断面形状が完全に潰れてしまわない程度（つまり閉塞されない程度）の硬さを有することを意味するものであり、導管３４自体を曲げたり湾曲させたりすることが全く不可能なことを要求するものではない（つまり適度な曲げや湾曲は許容される）。
【００２１】
前記導管３４は、手動式空気ポンプ２０の空気吐出口２５から吐出された空気を逆止弁機構３０の先端部３０ｂ（開閉弁３２）に導くための管材であるが、このストロー形状の導管３４を縦長な空間３３内に安定的に保持するために、導管３４は、２枚の樹脂シートのうちの一方（３１ｂ）に対し、透明な軟質樹脂製の長帯状の留めシート３５によって固定されている。つまり、長帯状の留めシート３５の左右両縁が樹脂シート（３１ｂ）に対して溶着されることで、二つのシート（３１ｂ，３５）間にストロー形状の導管３４が挟み込まれ、当該導管３４が樹脂シート（３１ｂ）に対して位置ずれ困難な状態で安定保持される。なお、図５（Ｂ）及び（Ｃ）では、軟質樹脂シート（３１ａ，３１ｂ）および留めシート３５の厚さが実際よりもデフォルメして描かれているが、これらシートの実際の厚さは１ｍｍにも満たない。
【００２２】
図６（Ａ）は、２枚の樹脂シート（３１ａ，３１ｂ）の間に挟まれる形で両シート間に挿入配置された連通路確保材としてのストロー形状の導管３４と、２枚の樹脂シート（３１ａ，３１ｂ）との相関関係を概略的に示す断面図である（但し図の簡略化のため、留めシート３５を省略している）。図６（Ａ）に示すように、導管３４は断面円形状の中空な管材であることから、導管３４の内部が連通路（４１）を提供することは言うまでもない。それだけでなく、硬質の導管３４が２枚の樹脂シート（３１ａ，３１ｂ）の間に挿入配置されて両シートを部分的に離間させている結果、導管３４の左右の隣接外側領域にも二つの連通路（４２）が副次的又は不可避的に提供されることになる。この導管３４の内部に確保された内部連通路４１も、導管３４の隣接外側領域に確保された左右二つの隣接外側連通路４２も共に、手動式空気ポンプ２０の空気吐出口２５から吐出された空気を逆止弁機構３０の先端部３０ｂ（開閉弁３２）に導くための通路として役立つものである。
【００２３】
手動式空気ポンプ２０の使用方法および逆止弁機構３０の機能は、従来のものと基本的に同じであるので重複説明はしない（上記段落０００４参照）。但し、本実施形態の逆止弁機構３０によれば、連絡部３０ｃの縦長な空間３３内には、連通路確保材としての導管３４が設けられ、この導管３４の内部および隣接する左右両外側には連通路（内部連通路４１および左右二つの隣接外側連通路４２）が常時確保されている。このため、手動式空気ポンプ２０の空気吐出口２５から吐出された空気を開閉弁３２に導くべく、手動式空気ポンプ２０の手押し動作時においても、連絡部３０ｃに設けられた硬質な導管３４が完全に押し潰されることがなく、従って前記各連通路（４１，４２）も閉塞することがない。従って本実施形態の逆止弁機構３０によれば、逆止弁機構３０は常時、正常な動作を維持することができる。
【００２４】
［変更例（連通路確保材の各種形態について）］
本考案で採用可能な連通路確保材は、図５及び図６（Ａ）に示すようなストロー形状の導管３４に限定されるものではなく、例えば図６（Ｂ），（Ｃ）及び（Ｄ）に示すようなものであっても、導管３４と同様の作用・効果を奏し得る。即ち、
図６（Ｂ）に示すように、連通路確保材３４１は、横断面が半円弧状の樋状の部材であってもよい。この連通路確保材３４１にあっては、内側に位置する溝によって内部連通路４１が確保され、当該確保材３４１の左右には二つの隣接外側連通路４２が確保される。
図６（Ｃ）に示すように、連通路確保材３４２は、横断面がコの字型の樋状の部材であってもよい。この連通路確保材３４２にあっては、内側に位置する溝によって内部連通路４１が確保され、当該確保材３４２の左右には二つの隣接外側連通路４２が確保される。
図６（Ｄ）に示すように、連通路確保材３４３は、横断面が矩形状の非中空（つまり中実）な棒状部材であってもよい。この連通路確保材３４３にあっては、その左右両側において二つの隣接外側連通路４２が確保される。
【００２５】
［変更例（第２の開閉弁について）］
互いに密着可能な２枚の樹脂シート（３１ａ，３１ｂ）で構成される逆止弁機構３０は、図５に示す形態に限定されるものではなく、図７に示すような形態であってもよい。即ち図７に示すように、逆止弁機構３０の先端部３０ｂと、連絡部３０ｃの一部とを幅方向に沿って左右に若干拡張すると共に、当該先端部３０ｂと連絡部３０ｃの間の左右領域において、２枚の軟質樹脂シート（３１ａ，３１ｂ）を略コ字状に部分溶着することで、図７に示すような溶着部３８を形成する。こうして先端部３０ｂと連絡部３０ｃとを分離区画することで、逆止弁機構の先端部３０ｂに設けられた（第１の）開閉弁３２の他に、逆止弁機構３０の幅方向の両側サイド（図７では連絡部３０ｃの左右両側）にも第２の開閉弁３９をそれぞれ設ける。これら第２の開閉弁３９も、（第１の）開閉弁３２と同様、両樹脂シートの離間又は密着に応じて開閉されるタイプの開閉弁である。この図７の構成にあっては、左右の第２開閉弁３９は、連通路確保材（３４，３４１〜３４３のいずれか）の左右に位置する隣接外側連通路４２とそれぞれ位置的に近い。このため、左右の第２開閉弁３９は、左右の隣接外側連通路４２とそれぞれ連通可能となっている。
【００２６】
図７に示すような計３個の開閉弁（３２，３９）を備えた逆止弁機構３０によれば、例えば手動式空気ポンプ２０の操作時（とりわけ押し潰し時）に、（第１の）開閉弁３２を形作っている樹脂シート（３１ａ，３１ｂ）が途中で折れ曲がってしまって開閉弁として正常に開閉動作できない場合でも、残り二つの第２開閉弁３９が開閉弁としての機能を果たすことができ、軟質樹脂製品１０に対する空気入れを支障なく行うことができる。
【符号の説明】
【００２７】
１０  軟質樹脂製品
１１  中空本体
２０  手動式空気ポンプ
２４  空気吸入口
２５  空気吐出口
２７  フラップ弁型の逆止弁
３０  逆止弁機構
３０ａ  基端部
３０ｂ  先端部
３０ｃ  連絡部
３１ａ，３１ｂ  ２枚の軟質樹脂シート
３２  開閉弁
３３  縦長な空間
３４  連通路確保材としての導管
３４１  連通路確保材
３４２  連通路確保材
３４３  連通路確保材
３９  第２の開閉弁
４１  内部連通路
４２  隣接外側連通路
【図１】
0003231899.tif 000003
【図２】
0003231899.tif 000004
【図３】
0003231899.tif 000005
【図４】
0003231899.tif 000006
【図５】
0003231899.tif 000007
【図６】
0003231899.tif 000008
【図７】
0003231899.tif 000009